(57)【特許請求の範囲】
【請求項１】
液体を収容する容器と、前記容器内の液体を加熱する加熱手段と、所定期間の使用パターンを単位時間帯毎に記憶し、記憶した値から基本パターンを構築し、その基本パターンにもとづいて前記加熱手段を動作させる生活学習手段と、前記容器内の液体を強制的に加熱させる加熱スイッチとを有し、前記加熱スイッチが押された場合には、優先して加熱を行う構成とし、前記加熱スイッチが押されて湯沸かしを終了した時は、第一の所定時間の間は高温で保温し、その後、基本パターンにもとづいて加熱手段を動作させる構成とした電気湯沸かし器。
【請求項２】
第一の所定時間は、湯沸かしを終了したところが属する時間帯までとする請求項１に記載の電気湯沸かし器。
【請求項３】
第一の所定時間は、湯沸かしを終了したところが属する時間帯の次の時間帯までとする請求項１に記載の電気湯沸かし器。
【請求項４】
待機動作を行う命令を入力する待機動作設定手段を有し、前記待機動作設定手段への入力を受け付けると、待機動作を開始するとともに、待機動作設定時間終了後、第二の所定時間だけ高温で保温し、その後は基本パターンにもとづいて加熱手段を動作させる構成とした請求項１〜３のいずれか１項に記載の電気湯沸かし器。
【請求項５】
待機動作を行う命令を入力する待機動作設定手段を有し、前記待機動作設定手段への入力を受け付けると、待機動作を開始するとともに、待機動作設定時間終了後、一度沸騰させた後、第二の所定時間だけ高温で保温し、その後は基本パターンにもとづいて加熱手段を動作させる構成とした請求項１〜３のいずれか１項に記載の電気湯沸かし器。
【請求項６】
第二の所定時間は、湯沸かしを終了したところが属する時間帯までとする請求項４または５に記載の電気湯沸かし器。
【請求項７】
第二の所定時間は、湯沸かしを終了したところが属する時間帯の次の時間帯までとする請求項４または５に記載の電気湯沸かし器。
【発明の詳細な説明】
【０００１】
【発明の属する技術分野】
本発明は、消費電力の低減を図った電気湯沸かし器に関するものである。
【０００２】
【従来の技術】
従来の電気湯沸かし器において、夜間の不使用時等に液体を保温するための電力を低減する方法には、「お休みタイマー」のようなものが一般的であった。以下、お休みタイマーについて図１３を参照しながら説明する。
【０００３】
図において、２１は容器、２２は容器２１内の液体を加熱保温する加熱手段、２３は容器２１内の液体の温度を検知する温度検知手段、２４は容器２１内の液体を吐出する吐出手段２５を制御する吐出制御手段である。吐出手段２５は、液体を送り出す導水路２５ａと、この導水路中にあるポンプ２５ｂと、このポンプを駆動させるモーター２５ｃにて構成されている。２７は温度検知手段２３で検知した温度をもとに加熱手段２２を制御する加熱制御手段、２８は所定時間のあいだ加熱および保温動作を停止するタイマー動作を設定するためのタイマー設定手段である。
【０００４】
上記構成において、容器２１内の液体の温度が高い場合には、加熱手段２２にて保温動作を行う。このときタイマー設定手段２８にてタイマー動作が設定されると、保温動作を停止する。そして所定時間（一般的には約６時間）が経過すると加熱手段２２にて加熱を行い、容器２１内の液体を沸騰させる。これにより、例えば、夜、就寝前にタイマー動作を開始すると、保温動作を停止させることにより就寝中の保温電力を低減し、更には、朝には湯が沸いていて使うことができる構成となっていた。
【０００５】
【発明が解決しようとする課題】
しかしながら、前記従来の構成では、消費電力を低減するには、その都度、使用者がタイマー設定動作を行わなければならない、といった煩わしさがあった。
【０００６】
本発明は、前記従来の課題を解決するもので、使用者が設定操作することなく消費電力を低減するとともに使用者の使い勝手を向上することを目的としたものである。
【０００７】
【課題を解決するための手段】
前記目的を達成するために、本発明の電気湯沸かし器は、生活学習手段を設け、使用者の使用パターンを記憶し、基本パターンを構築し、その基本パターンにもとづいて加熱保温制御を行い、加熱スイッチに命令が入力されると、加熱スイッチの命令を優先して湯沸かしを行うようにしたものである。
【０００８】
これにより、普段使用しない時間帯には保温温度を下げ、使用者の煩わしい操作を要求することなく消費電力を低減することができ、更に、普段使用しない時間帯であっても加熱スイッチの命令により湯沸かしが行え、使い勝手が向上する。
【０００９】
【発明の実施の形態】
請求項１に記載の発明は、液体を収容する容器と、前記容器内の液体を加熱する加熱手段と、所定期間の使用パターンを単位時間帯毎に記憶し、記憶した値から基本パターンを構築し、その基本パターンにもとづいて前記加熱手段を動作させる生活学習手段と、前記容器内の液体を強制的に加熱させる加熱スイッチとを有し、前記加熱スイッチが押された場合には、優先して加熱を行う構成とし、前記加熱スイッチが押されて湯沸かしを終了した時は、第一の所定時間の間は高温で保温し、その後、基本パターンにもとづいて加熱手段を動作させる構成とした電気湯沸かし器としたことにより、使用者の使用パターンに応じて生活学習手段にて加熱保温制御し、使用者が普段使用しない時間帯には保温温度を下げることにより、使用者の煩わしい操作を要求することなく消費電力を低減することができ、更に、普段使用しない時間帯であっても加熱スイッチに命令が入力されると、優先して加熱動作を行うことにより、使用者の使い勝手を向上することができる。
【００１０】
さらに、使用者の意図どおり加熱動作を行ったにも関わらず、沸騰後使用者が湯を使う時に湯温が低下していることを防ぎ、更に使い勝手を向上することができる。
【００１１】
請求項２に記載の発明は、第一の所定時間は、湯沸かしを終了したところが属する時間帯までとする請求項１に記載の電気湯沸かし器としたことにより、生活学習手段にて制御する時間帯と同期させることができ、所定時間を別に設ける必要がなくなり、プログラムを簡略化させることができる。
【００１２】
請求項３に記載の発明は、第一の所定時間は、湯沸かしを終了したところが属する時間帯の次の時間帯までとする請求項１に記載の電気湯沸かし器としたことにより、請求項２に記載の発明と同様な効果を得ることができるだけでなく、少なくとも１つの時間帯の間は湯を高温で保温し、使用者が湯を使う時に湯温が低下していることを防ぎ、使い勝手を向上することができる。
【００１３】
請求項４に記載の発明は、待機動作を行う命令を入力する待機動作設定手段を有し、前記待機動作設定手段への入力を受け付けると、待機動作を開始するとともに、待機動作設定時間終了後、第二の所定時間だけ高温で保温し、その後は基本パターンにもとづいて加熱手段を動作させる構成とした請求項１〜３のいずれか１項に記載の電気湯沸かし器としたことにより、使用者の煩わしい操作を要求することなく消費電力を低減することができ、更に、待機動作設定の命令が入力されると、優先して待機動作を行うことにより、使用者の使い勝手を向上することができる。
【００１４】
請求項５に記載の発明は、待機動作を行う命令を入力する待機動作設定手段を有し、前記待機動作設定手段への入力を受け付けると、待機動作を開始するとともに、待機動作設定時間終了後、一度沸騰させた後、第二の所定時間だけ高温で保温し、その後は基本パターンにもとづいて加熱手段を動作させる構成とした請求項１〜３のいずれか１項に記載の電気湯沸かし器としたことにより、使用者の煩わしい操作を要求することなく消費電力を低減することができ、更に、待機動作中、一切加熱・保温を行っていなかった液体を沸騰させ、煮沸された液体を吐出することが可能となり、使用者が吐出して液体を使用する際の衛生面を向上させることができる。
【００１５】
請求項６に記載の発明は、第二の所定時間は、湯沸かしを終了したところが属する時間帯までとする請求項４または５に記載の電気湯沸かし器としたことにより、生活学習手段にて制御する時間帯と同期させることができ、所定時間を別に設ける必要がなくなり、プログラムを簡略化させることができる。
【００１６】
請求項７に記載の発明は、第二の所定時間は、湯沸かしを終了したところが属する時間帯の次の時間帯までとする請求項４または５に記載の電気湯沸かし器としたことにより、請求項６に記載の発明と同様な効果を得ることができるだけでなく、少なくとも１つの時間帯の間は湯を高温で保温し、使用者が湯を使う時に湯温が低下していることを防ぎ、使い勝手を向上することができる。
【００１７】
【実施例】
以下、本発明の実施例について図を参照しながら説明する。
【００１８】
（実施例１）
図１は本発明の実施例１における電気湯沸かし器の構成を示すものである。
【００１９】
図において、１は液体を収容する円筒形の容器である。２は容器１に当接した、液体の加熱もしくは保温を行うための加熱手段であり、通常は加熱用と保温用の２つ以上のヒータで構成される。３は容器１に当接された温度検知手段で、サーミスタ等で構成される。４は吐出手段５を駆動し、容器１内の液体を外部へ吐出する吐出制御手段である。吐出手段５は、容器１から外部まで液体を送り出す導水路５ａと、この導水路中にあるポンプ５ｂと、このポンプを駆動させるモーター５ｃにて構成されている。６は電気湯沸かし器を制御操作する操作部である。７は加熱制御手段であり、加熱手段２への通電を制御することにより、加熱手段２のオンオフ制御を行うものであり、一般的には、リレーやトライアック等で構成される。
【００２０】
ここで、温度検知手段３で検知した温度は、加熱制御手段７に伝えられ、その温度が例えば約９０℃より低くなると、加熱制御手段７にて加熱用の加熱手段２を制御し、液体の加熱を行う。温度検知手段３にて検知する温度勾配がほぼ横這いになると、容器１内の液体が沸騰したと見なし、加熱手段２による加熱を終了し、加熱制御手段７にて保温ヒータによる保温制御を開始する。そして液体の温度が例えば約９８℃で安定するように保温制御を行うものである。
【００２１】
そして、３１は生活学習手段であり、使用者の所定期間における使用パターンを単位時間帯毎に記憶し、記憶した値から基本パターンを構築し、その基本パターンにもとづいて加熱制御手段７を介して前記加熱手段２の動作を制御するものである。３２は容器１内の液体を強制的に加熱させる加熱スイッチで、使用者が容器１内の液体を加熱させたいときに動作させるものである。加熱スイッチ３２が押されると、生活学習手段３１にて加熱制御手段７を制御して容器１内の液体が沸騰するまで加熱動作を行う。
【００２２】
図２は本実施例の電気湯沸かし器の回路構成を示している。
【００２３】
加熱手段２は、容器１内の液体を加熱する第一の発熱体２ａと、第一の発熱体よりも発熱量が少なく容器１内の液体を加熱保温する第二の発熱体２ｂで構成されている。
【００２４】
また、温度検知手段３は、温度を抵抗値に変換するサーミスタ３ａと分圧用抵抗３ｂとで分圧値を作る。ここで、容器１内の液体が対流する際や液体が沸騰前に発生しやすい気泡の破裂などによるサーミスタ３ａの検知の揺らぎや、電気的外来ノイズを吸収するために、充放電用の抵抗３ｄと電解コンデンサ３ｅを備え、これらのポートの出力を、後述するマイクロコンピュータ１５（以後、マイコンと略す）にて温度を検出するタイミングに応じて変化させ、検知温度の変化を安定して精度良く検出することができる。こうして電気的外来ノイズやサーミスタ３ａの検知の揺らぎを極力除去した分圧値をＡ／Ｄ変換器３ｃにて２進符号に変換する。Ａ／Ｄ変換器３ｃは約１０〜１３０℃の範囲を単位温度幅（本実施例では約０．５℃）の温度刻みにし、温度を２進符号にて出力する。そして、この２進符号が１ビット変化するのに要する時間を検知して、例えば、第一の所要時間（本実施例では１２秒とする）以上要していれば、容器１内の液体が沸騰状態になったため温度の上昇がほぼ横這いになったとして、加熱制御手段７にて加熱制御から保温制御に切り替えたり、また、例えば変化に要する時間が第二の所要時間（本実施例では０．５秒とする）以内であるのを連続的に検知した場合には、容器１内の液体の量が不足しているために温度が急激に上昇していると判断し、加熱制御手段７にて加熱を停止したりする。
【００２５】
吐出制御手段４は、図ではスイッチ４ａと、スイッチ４ａのオンオフによって制御される第一のトランジスタ４ｂと、第一のトランジスタ４ｂに直列に接続された抵抗４ｃと、マイコン１５によってオンオフ制御される第二のトランジスタ４ｄと、マイコン１５の出力を決定するロック解除スイッチ４ｅによって構成される。ロック解除スイッチ４ｅがオンされると、マイコン１５は先ずその時のスイッチ４ａの状態を、このスイッチ４ａに接続されているマイコン１５のポートの電位によって判断する。この電位が”Ｌ”となっておればスイッチ４ｂがオンされている状態なので、第二のトランジスタ４ｄをオンさせると、即吐出が行われるため危険であり、このロック解除スイッチ４ｅの入力を無効にする。電位が”Ｈ”の場合は、スイッチ４ａはオフ状態であり第二のトランジスタ４ｄをオンさせても即吐出にはならないので、マイコン１５の出力を”Ｈ”（本実施例ではオープン）から”Ｌ”に変え、第二のトランジスタ４ｄをオン状態にする（この状態を以下、ロック解除状態という）。ロック解除状態で第一のスイッチ４ａがオンされると、第一のトランジスタ４ｂがオンしモーター５ｃに抵抗４ｃとの分圧の電圧がかかり、第一のスイッチ４ａがオンされている間モーター５ｃに電流が流れ、容器１内の液体が吐出される。また、吐出終了後もロック解除状態が継続されるのを防ぐために、ロック解除状態でスイッチ４ｅの電位が”Ｈ”状態であるのを第三の所定時間（本実施例では１０秒とする）継続した場合には、マイコン１５の出力を”Ｈ”にし第二のトランジスタ４ｄをオフさせロック解除状態を解く。吐出手段５は、回路図ではモーター５ｃで構成されている。
【００２６】
加熱制御手段７は、加熱手段２と直列に接続されたリレー接点７ａ、７ｂと、このリレー接点７ａ、７ｂの制御を行うリレーコイル７ｃ、７ｄで構成され、このリレーコイルに電流を流すことにより、前記リレー接点を閉じるようになっている。１２は交流電源である。
【００２７】
ここで、マイコン１５は、図１における生活学習手段３１にあたるものである。生活学習に関するマイコン１５の動作については後述する。
【００２８】
図３（ａ）は本実施例の生活学習の蓄積データであり、また図３（ｂ）は図３（ａ）の蓄積データにもとづいた学習動作である。
【００２９】
マイコン１５では、２４時間を単位時間帯毎（本実施例では２０分）に分割し、２４時間を７２の時間帯で構成する。この各時間帯においてロック解除状態でスイッチ４ａが押され、吐出動作が行われるのを検知すると、その時間帯の動作カウントを１増やす。同じ時間帯で２回以上スイッチ４ａが押されるのを検知しても、動作カウントは１つしか増やさない。こうして使用者が吐出動作を行う回数を蓄積して、使用者が吐出したいときの基本パターンを構築していく。７２の時間帯を所定期間（本実施例では１週間にあたる７回とする）繰り返してデータが蓄積されると、そのデータにもとづいて生活学習手段３１による基本パターンを構築し、基本パターンにもとづいた動作を開始する。
【００３０】
その基本パターンは、蓄積データにおいて、ある時間帯で３回以上カウントされている場合には、使用者が湯を吐出したい確率が高いと判断し、加熱制御手段７にて加熱手段２を制御し、容器１内の液体を高温（本実施例では約９５℃とする）で保温する動作を行う。また３回未満しかカウントされていない場合には、使用者が湯を吐出する確率が低いと判断して、容器１内の液体を低温（本実施例では約６０℃とする）で保温する動作を行う。
【００３１】
このように、基本パターンで動作を行っていても、どうしても不規則的な使い方がされたり、生活パターンが変わったりする。そのようなときには、加熱スイッチ３２がオンされて温度をあげることが考えられるために、加熱スイッチ３２の加熱動作を優先的に行うようにしてある。また湯沸かし後も高温を維持させている。さらに、変化に対応するため、基本パターンも変化していく。
【００３２】
その内容は、使用を開始して次のデータ（８日目のデータ）が蓄積されると、蓄積データの最も古いものを捨て、データを更新し常に最も新しい過去７回のデータにもとづいて動作を行う。ここで、図３（ａ）は過去７日間の蓄積データであり、図３（ｂ）はこの蓄積データにもとづく生活学習動作パターンである。
【００３３】
本来なら、図３（ｂ）の動作を行うが、図４に示すように、３番目の時間帯で加熱スイッチ３２が押されるのを検知すると、加熱手段３にて加熱を行い、一旦沸騰させ、沸騰を検知してから第一の所定時間（本実施例では１０分とする）のあいだは９５℃での保温を行う。ここで、沸騰検知してから、３番目の時間帯で吐出動作が行われたとする。その後は、基本パターンにもとづいた動作に戻る。
【００３４】
そして、この８日目の蓄積データを追加したものが図５（ａ）である。図５（ａ）のデータにもとづいた生活学習動作が図５（ｂ）であり、前日の加熱後の吐出動作が反映され、３番目の時間帯では、自動的に高温で保温する動作を行っている。
こうして、不規則な動作が行われても対応することにより、使用者の使用する基本パターンも対応していくことができる。
【００３５】
以上のように、加熱スイッチ３２の動作を優先させることにより、生活学習により使用者の手間を必要としない省エネ動作を行うことができるだけでなく、使用者が高温の湯が欲しい場合にも対応でき、使い勝手を向上することができる。
【００３６】
なお、基本パターンの認識を吐出制御手段４の動作に基づくものとしたが、加熱スイッチ３２への入力にもとづいても良く、更には、吐出制御手段４と加熱スイッチ３２の両方の動作から基本パターンを構築することにより、より使用者の使用実態に合わせた自動制御動作を行うことができることは言うまでもない。
【００３７】
また、基本パターンの認識をロック解除中にスイッチ４ａが押されるのを検知した場合としたが、ロック解除中に限定する必要は無く、ロック状態でスイッチ４ａが押されるのを検知した場合を追加してもよく、更には、ロック状態でスイッチ４ｅが押されるのを検知した場合としても、同様の効果が得られる。
【００３８】
また、本実施例では、使用確率の判断において、３回以上の時は、使用確率が高いとしたが、３回に限定するものではなく、回数を増やすことにより、低温で保温する可能性が高くなり、より消費電力を低減できるし、一方、回数を減らすと低温で保温する可能性が低くなるが、使用者が液体を吐出したいときに、液体が高温で保温されている可能性が高くなり、回数は、消費電力と高温での保温確率のバランスによって決められるものである。
【００３９】
また、本実施例では、時間帯は、２４時間を分割する構成としたが、これに限定するものではなく、例えば、１週間を分割することにより、一週間単位での基本パターンを学習することも可能であるし、更には４週間を分割することにより１ヶ月単位での基本パターンを学習することも可能である。
【００４０】
また、本実施例では、時間帯を７２に分割する構成としたが、７２に限定するものではなく、例えば分割数を増やす（もしくは減らす）ことにより、より使用者の基本パターンに近い動作を行うことも可能である。
【００４１】
また、データを蓄積する回数を７回としたが、７回に限定するものではなく、例えば、回数を増やす（もしくは減らす）ことにより、より使用者の使用する基本パターンに近づけることも可能である。
【００４２】
また、生活学習手段３１にて基本パターンの動作をしているときに加熱スイッチ３２の入力を受け付けると、加熱を開始し一旦沸騰させる構成としたが、一旦沸騰させる必要性はなく、例えば、沸騰前の高温で保温動作に移行する構成とすることも可能で、沸騰させないことにより、更に消費電力を低減することができる。
【００４３】
さらに、一次電池や二次電池もしくは電気二重層コンデンサなどを備え、商用電源１２がオフされた場合にも、電源を供給し、経過時間のカウントを行う構成とすることにより、商用電源が再度オンしたときに、生活学習手段３１で記憶した時間帯に対するデータを活かして動作を再開することが可能となり、使い勝手を更に向上させることも可能である。
【００４４】
（実施例２）
本発明の実施例２について図１、図２、図６を参照しながら説明する。
【００４５】
図６（ａ）は本実施例の生活学習の蓄積データであり、また図６（ｂ）は図６（ａ）の蓄積データにもとづいた学習動作である。
【００４６】
ここで３番目の時間帯で加熱スイッチ３２が押されるのを検知すると、本来ならば、蓄積データは２回であるので６０℃にて保温する動作を行うが、加熱手段３にて加熱を行い、一旦沸騰させ、その後３番目の時間帯が終了するまで９５℃での保温を行う。このように、沸騰後、９５℃での保温を維持する時間を、基本パターンの動作を行う時間帯と同期させることにより、第一の所定時間を設ける必要が無くなり、プログラムを簡略化することが可能となる。
【００４７】
（実施例３）
本発明の実施例３について図１、図２、図７を参照しながら説明する。
【００４８】
図７（ａ）は本実施例の生活学習の蓄積データであり、また図７（ｂ）は図７（ａ）の蓄積データにもとづいた学習動作である。
【００４９】
ここで３番目の時間帯で加熱スイッチ３２が押されるのを検知すると、本来ならば、蓄積データは２回であるので６０℃にて保温する動作を行うが、加熱手段３にて加熱を行い、一旦沸騰させ、その後、次の４番目の時間帯が終了するまで９５℃での保温を行う。ここで沸騰を検知した時間帯が３番目の時間帯の終了間際である場合に、３番目の時間帯で９５℃の保温を終了してしまうと、湯が沸いて間もないのにすぐに低温での保温になる可能性がある。しかし使用者が高温の湯を吐出したくて加熱スイッチ３２を押したにも関わらず、沸騰後に吐出する際、すでに温度が低くなっている可能性を排除し、使い勝手を更に向上させることが可能となる。
【００５０】
（実施例４）
本発明の実施例４について図８、図９を参照しながら説明する。
【００５１】
図において、３３は待機動作を行う命令を入力する待機動作設定手段であり、待機動作設定手段に命令が入力されると、基本パターンにもとづいた動作は行わず、加熱手段２による加熱および保温を停止し、所定時間（本実施例では６時間とする）加熱および保温を一切行わない。待機動作設定されてから６時間が経過すると、加熱手段２により容器１内の液体を加熱し沸騰させる動作に移行する。
【００５２】
図９（ａ）は本実施例の生活学習の蓄積データであり、また図９（ｂ）は図９（ａ）の蓄積データにもとづいた学習動作である。
【００５３】
ここで待機動作設定から６時間が経過すると、加熱手段２により容器１内の液体を沸騰するまで加熱する。そして沸騰を検知してから第二の所定時間（本実施例では１０分とする）のあいだは高温（本実施例では９５℃）で保温動作を行い、その後は蓄積データにもとづいた動作を行う。これにより、使用頻度が高い時間帯であっても、使用者の待機動作を優先させることにより、省エネ効果をさらに高めることが可能となる。また待機動作中、一切加熱・保温を行っていなかった液体を沸騰させ、煮沸された液体を吐出することが可能となり、使用者が吐出して液体を使用する際の衛生面を向上させることができるだけでなく、第二の所定時間のあいだ高温で保温することにより、待機動作後に使用者が湯を吐出したい場合に、湯温が低下してしまうことを防ぎ、使い勝手を向上することができる。
【００５４】
なお、本実施例では待機動作として加熱保温を一切行わない動作としたが、低温（例えば６０℃）で保温する動作としても同様の効果が得られることは言うまでも無い。
【００５５】
また、本実施例では待機動作の時間を６時間としたが、６時間に限ったもので無く、待機動作の時間を数種類の中から選択できる構成とすることも可能で、更には、待機動作の時間を使用者が任意に設定することができる構成とすることにより、より使い勝手を向上させることができる。
【００５６】
また、本実施例では、沸騰を検知した時間帯が終了するまでは、高温で保温する構成としたが、待機動作終了時が属する時間帯としても同様の効果が得られる。
【００５７】
（実施例５）
本発明の実施例５について図８、１０を参照しながら説明する。
【００５８】
本実施例においては、待機動作設定手段３３で待機動作設定がされてから６時間が経過すると、加熱手段２により容器１内の液体を高温で保温する動作に移行するものである。他は実施例４と同様である。
【００５９】
図１０（ａ）は本実施例の生活学習の蓄積データであり、また図１０（ｂ）は図１０（ａ）の蓄積データにもとづいた学習動作である。
【００６０】
待機動作設定から６時間が経過すると、加熱手段２により容器１内の液体を高温で保温する。そして高温（本実施例では９５℃）に到達してから第二の所定時間（本実施例では１０分とする）のあいだは高温で保温動作を行い、その後は蓄積データにもとづいた動作を行う。これにより、使用頻度が高い時間帯であっても、使用者の待機動作を優先させることにより、省エネ効果をさらに高めることが可能となる。
【００６１】
なお、本実施例では実施例４と同様、種々の変形例が考えられるものであり、実施例に限られるものでは無い。
【００６２】
（実施例６）
本発明の実施例６について図８、図１１を参照しながら説明する。
【００６３】
本実施例においては、待機動作設定手段３３で待機動作設定がされてから６時間が経過すると、加熱手段２により容器１内の液体を加熱し沸騰させる動作に移行するものである。他は実施例４と同様である。
【００６４】
図１１（ａ）は本実施例の生活学習の蓄積データであり、また図１１（ｂ）は図１１（ａ）の蓄積データにもとづいた学習動作である。
【００６５】
ここで、待機動作設定から６時間が経過すると、加熱手段２により容器１内の液体を沸騰するまで加熱する。そして沸騰を検知した３番目の時間帯の間は高温（本実施例では９５℃）で保温動作を行い、３番目の時間帯が終了すると、その後は蓄積データにもとづいた動作を行う。これにより使用頻度が高い時間帯であっても、使用者の待機動作を優先させ、省エネ効果をさらに高めることが可能となる。また待機動作中、一切加熱・保温を行っていなかった液体を沸騰させ、煮沸された液体を吐出することが可能となり、使用者が吐出して液体を使用する際の衛生面を向上させることができる。そして、高温での保温を維持する時間を、基本パターンの動作を行う時間帯と同期させることにより、第二の所定時間を設ける必要が無くなり、プログラムを簡略化することが可能となる。
【００６６】
（実施例７）
本発明の実施例７について図８、図１２を参照しながら説明する。
【００６７】
本実施例においては、待機動作設定手段３３で待機動作設定がされてから６時間が経過すると、加熱手段２により容器１内の液体を加熱し沸騰させる動作に移行する。
【００６８】
図１２（ａ）は本実施例の生活学習の蓄積データであり、また図１２（ｂ）は図１２（ａ）の蓄積データにもとづいた学習動作である。
【００６９】
ここで待機動作設定から６時間が経過すると、加熱手段２により容器１内の液体を沸騰するまで加熱する。そして沸騰を検知した３番目の時間帯の間は高温（本実施例では９５℃）で保温動作を行い、３番目だけでなく次の４番目の時間帯までの間は９５℃で保温動作を行い、４番目の時間帯が終了すると、その後は蓄積データにもとづいた動作を行う。これにより、待機動作中、一切加熱・保温を行っていなかった液体を沸騰させ、煮沸された液体を吐出することが可能となり、使用者が吐出して液体を使用する際の衛生面を向上させることができるだけでなく、もし沸騰を検知した時間帯が３番目の時間帯の終了間際である場合に、３番目の時間帯で９５℃での保温を終了してしまうと、沸騰を検知して間もないのにすぐに低温での保温になる可能性があり、使用者が高温の湯を吐出するつもりで待機動作設定手段３３にて待機動作を設定したにも関わらず、吐出する際、すでに温度が低くなっている可能性を排除し使い勝手を更に向上させることが可能となる。
【００７０】
【発明の効果】
以上のように、本発明によれば、生活学習手段を設け、使用者の使用パターンを記憶し、基本パターンを構築し、その基本パターンにもとづいて加熱保温制御を行い、加熱スイッチに命令が入力されると、加熱スイッチの命令を優先して湯沸かしを行うようにしたことにより、普段使用しない時間帯には保温温度を下げ、使用者の煩わしい操作を要求することなく消費電力を低減することができ、更に、普段使用しない時間帯であっても加熱スイッチの命令により湯沸かしが行え、使い勝手が向上するものである。
【図面の簡単な説明】
【図１】本発明の実施例１〜３における電気湯沸かし器の構成を示すブロック図
【図２】同電気湯沸かし器の回路図
【図３】（ａ）本発明の実施例１における電気湯沸かし器の基本パターンの蓄積データ１を表わす図
（ｂ）（ａ）における生活学習動作例１を示す図
【図４】同電気湯沸かし器における加熱スイッチを押したときの動作例を示す図
【図５】（ａ）同電気湯沸かし器の基本パターンの蓄積データ２を表わす図
（ｂ）（ａ）における生活学習動作例２を示す図
【図６】（ａ）本発明の実施例２における電気湯沸かし器の基本パターンの蓄積データを表わす図
（ｂ）（ａ）における生活学習動作例を示す図
【図７】（ａ）本発明の実施例３における電気湯沸かし器の基本パターンの蓄積データを表わす図
（ｂ）（ａ）における生活学習動作例を示す図
【図８】本発明の実施例４〜７における電気湯沸かし器の構成を示すブロック図
【図９】（ａ）本発明の実施例４における電気湯沸かし器の基本パターンの蓄積データを表わす図
（ｂ）（ａ）における生活学習動作例を示す図
【図１０】（ａ）本発明の実施例５における電気湯沸かし器の基本パターンの蓄積データを表わす図
（ｂ）（ａ）における生活学習動作例を示す図
【図１１】（ａ）本発明の実施例６における電気湯沸かし器の基本パターンの蓄積データを表わす図
（ｂ）（ａ）における生活学習動作例を示す図
【図１２】（ａ）本発明の実施例７における電気湯沸かし器の基本パターンの蓄積データを表わす図
（ｂ）（ａ）における生活学習動作例を示す図
【図１３】従来の電気湯沸かし器の構成を示すブロック図
【符号の説明】
１  容器
２  加熱手段
３  温度検知手段
４  吐出制御手段
５  吐出手段
３１  生活学習手段
３２  加熱スイッチ
【図１】
0003632664.tif 000002
【図２】
0003632664.tif 000003
【図３】
0003632664.tif 000004
【図４】
0003632664.tif 000005
【図５】
0003632664.tif 000006
【図６】
0003632664.tif 000007
【図７】
0003632664.tif 000008
【図８】
0003632664.tif 000009
【図９】
0003632664.tif 000010
【図１０】
0003632664.tif 000011
【図１１】
0003632664.tif 000012
【図１２】
0003632664.tif 000013
【図１３】
0003632664.tif 000014